(57)【要約】【課題】  様々な形状のコンパクトカメラおよびカメラ付携帯電話を支持兼用でき、撮影に際してカメラフラッシュの発光部表面を阻害せず、撮影の縦位置および横位置が自由に設定でき、さらには、デジタルカメラも使用出来る小形軽量のカメラスタンドを得る。【解決手段】  カメラスタンド1は脚部2と、自由雲台3と、自由雲台3の最上部に水平固定されたカメラの支持台４と、係止部５と、係止補助部６とから構成されている。係止部５は透明体の材質で板状の矩形に形成され、その外周部には孔５ａが多数穿設されている。係止部５の両側面には係止補助部６が開閉自在に取付けられている。係止補助部６は係止部５と同様な透明体の材質で板状の矩形に形成され、その外周部には孔６ａが多数穿設されている。【選択図】  図１
2007264217.tif 000002
【特許請求の範囲】
【請求項１】
多数の孔が穿設された２つの部材を水平方向へ開閉自在に連結してなる脚部と、該脚部の連結近傍に立設された自由雲台と、該自由雲台の最上部に水平固定されたカメラの支持台と、透明体の材質で板状の矩形に形成されて前記支持台の一端より立設され、その外周部にカメラの係止紐を挿通する孔が多数穿設された係止部と、透明体の材質で板状の矩形に形成されて前記係止部の両側面へ開閉可能に取付けられ、その外周部にカメラの係止紐を挿通する孔が多数穿設された２つの係止補助部とからなるカメラスタンド。
【請求項２】
多数の孔が穿設された２つの部材を水平方向へ開閉自在に連結してなる脚部と、該脚部の連結近傍に立設された自由雲台と、該自由雲台の最上部に水平固定されたカメラの支持台と、板状の矩形枠体に形成されて前記支持台の一端より立設され、枠体にカメラの係止紐を挿通する孔が多数穿設された係止部と、板状の矩形枠体で形成されて前記係止部の両側面へ開閉可能に取付けられ、枠体にカメラの係止紐を挿通する孔が多数穿設された２つの係止補助部とからなるカメラスタンド。
【発明の詳細な説明】
【技術分野】
【０００１】
本発明は三脚取付けネジ穴が穿設されていないコンパクトカメラやデジタルカメラおよびカメラ付携帯電話機を支持する兼用のカメラスタンドに関する。
【背景技術】
【０００２】
近年、コンパクトカメラやデジタルカメラおよびカメラ付携帯電話機が普及し、様々な場面で便利に活用されている。
【０００３】
しかし、コンパクトカメラやデジタルカメラの一部には三脚取付けネジ穴の穿設されていないものがあり、三脚に取付けて使用することは不可能である。
また、カメラ付携帯電話機には三脚への取付けネジ穴が全く穿設されておらず、三脚に取付けて使用することは不可能である。
【０００４】
三脚取付け穴が穿設されていないコンパクトカメラやカメラ付携帯電話機を支持する装置として以下のような発明が提案されている。
【０００５】
例えば、特開平９−２３０４９０号公報には、使い捨てカメラの行動性によく適合し、持ち運び、手軽、経済性を兼ね備え、しかもある程度汎用性のあるカメラスタンドが提案されている。
また、特開２００５−６２３６７号公報には、カメラ付携帯電話を、三脚その他の装置が有するカメラネジボルトに固定できる発明が提案されている。
【０００６】
【特許文献１】特開平９−２３０４９０号公報
【特許文献２】特開２００５−６２３６７号公報
【発明の開示】
【発明が解決しようとする課題】
【０００７】
しかしながら、前記各引用文献には以下のような問題がある。
すなわち、特開平９−２３０４９０号公報においては、水平な底面を有する自立可能な使い捨てカメラを基に発明されたものであり、カメラのすべてが自立できる水平な底面を有しているとは限らない。
最近のカメラは光学ズームレンズを内装したものが多く、撮影状態時にはレンズが飛び出した状態となり、不安定で自立することは難しい。
【０００８】
仮にカメラを固定できたとしても、撮影のためにスタンドを傾けた際、カメラを固定しているものが弾性部材のバンドであり、安定して固定できない問題を生じる。
特に、大部分のカメラにおいてはカメラを握持する側面が曲面で形成されており、縦位置の撮影時はスタンドへの固定時となる底面が平面ではなく、曲面形状をした側面であり、非常に不安定となる。
【０００９】
また、バンド部にはカメラフラッシュ用の光窓部が設けられているが、数種類しかその形状が無い使い捨てカメラとは異なり、通常のカメラにおいてはカメラフラッシュの発光部形状，設置位置および構造がそれぞれ異なり、その大きさ，設置位置，横長な面積およびポップアップ構造などに対応しなければならないが、全く考慮されていない。
【００１０】
さらに、カメラ付携帯電話においては自立する使い捨てカメラと異なり、何らかの安定したものに頼らなければ立てることそのものが不可能であり、特開平９−２３０４９０号公報記載のカメラスタンドは使用不能である。
【００１１】
また、特開２００５−６２３６７号公報においては、コンパクトカメラの使用を全く想定しておらず、その構成も全く開示されていないものであるため、カメラ付携帯電話のみの問題点を列挙する。
現在、カメラ付携帯電話における撮影レンズは様々な場所に設けられている。例えば、折畳み可能なカメラ付携帯電話の撮影レンズは、本体側，蓋側あるいは本体側と蓋側とのジョイント部などの様々な位置に設けられている。汎用性を考慮すると、文章中に記載されるように、レンズが対応する位置に第１孔および照明が対応する位置に第２孔を設けること自体に無理がある。
【００１２】
さらに、特開２００５−６２３６７号公報記載のカメラ付携帯電話用アダプタは、三脚その他の装置が有するカメラネジボルトにこのアダプタを介してカメラ付携帯電話を固定するものであり、このアダプタそのもので撮影時におけるカメラ付携帯電話の縦位置および横位置の設定を変更することは出来ない。
【００１３】
本発明は上記問題点に鑑みて開発されたもので、様々な形状のコンパクトカメラおよびカメラ付携帯電話を支持兼用出来るものであり、撮影に際してカメラフラッシュの発光部表面を阻害せず、撮影の縦位置および横位置が自由に設定でき、さらには、デジタルカメラも使用出来る小形軽量のカメラスタンドの提供を目的とする。
【課題を解決するための手段】
【００１４】
本発明は、多数の孔が穿設された２つの部材を水平方向へ開閉自在に連結してなる脚部と、該脚部の連結近傍に立設された自由雲台と、該自由雲台の最上部に水平固定されたカメラの支持台と、透明体の材質で板状の矩形に形成されて前記支持台の一端より立設され、その外周部にカメラの係止紐を挿通する孔が多数穿設された係止部と、透明体の材質で板状の矩形に形成されて前記係止部の両側面へ開閉可能に取付けられ、その外周部にカメラの係止紐を挿通する孔が多数穿設された２つの係止補助部とからなるカメラスタンドである。
【００１５】
また、多数の孔が穿設された２つの部材を水平方向へ開閉自在に連結してなる脚部と、該脚部の連結近傍に立設された自由雲台と、該自由雲台の最上部に水平固定されたカメラの支持台と、板状の矩形枠体に形成されて前記支持台の一端より立設され、枠体にカメラの係止紐を挿通する孔が多数穿設された係止部と、板状の矩形枠体で形成されて前記係止部の両側面へ開閉可能に取付けられ、枠体にカメラの係止紐を挿通する孔が多数穿設された２つの係止補助部とからなるカメラスタンドである。
【発明の効果】
【００１６】
本発明によれば、様々な形状のコンパクトカメラおよびカメラ付携帯電話を支持固定出来るとともに、ファインダーの設けられていないコンパクトデジタルカメラをも使用できる小形軽量なカメラスタンドを得ることができる。
【発明を実施するための最良の形態】
【００１７】
以下、各実施形態を用いて本発明を詳細に説明する。
【実施例１】
【００１８】
図１は本実施形態を示す組立て状態の正面図、図２は同側面図、図３は同平面図、図４はカメラを横位置に固定した状態の正面図、図５は図４の背面図、図６はカメラを縦位置に固定した状態の正面図、図７〜図９は使用状態の一例を示す説明図、図１０はカメラ付携帯電話を縦位置に固定した状態の正面図、図１１はカメラ付携帯電話を横位置に固定した状態の正面図である。
【００１９】
1はカメラスタンドで、カメラスタンド1は脚部２と、自由雲台3と、自由雲台3の最上部に水平固定されたカメラの支持台４と、係止部５と、２つの係止補助部６とから構成されている。
【００２０】
脚部２は２つの部材２ａ，２ｂとからなり、それぞれの部材２ａ，２ｂ端部近傍どうしが水平方向へ開閉自在に連結されている。また、それぞれの部材２ａ，２ｂには多数の孔２ｃが穿設されている。この多数の孔２ｃはカメラスタンド１を立木や柵等へ固定する際に用いる紐などを挿通させるものである。
【００２１】
脚部２の２つの部材２ａ，２ｂが連結されている近傍には自由雲台３が２つの部材２ａ，２ｂのどちらか一方に立設されている。
自由雲台３は三脚などに通常用いられている自由雲台と同一なものである。
【００２２】
自由雲台3の最上部にはカメラの支持台４が水平固定されている。
支持台４の一端からは透明体の材質（例えば：ポリカーボネート等の透明度が高い樹脂）で板状の矩形に形成された係止部５が立設されている。係止部５の外周部には孔５ａが多数穿設されている。孔５ａはカメラ７もしくはカメラ付携帯電話８を係止部５へ固定する際に用いる係止紐９を挿通させるものである。
【００２３】
係止部５の両側面には略同寸法の係止補助部６が開閉自在に取付けられており、収納時の閉状態では係止部５と各係止補助部６とが重なり合うように取付けられている。
また、係止補助部６は係止部５と同様な透明体の材質で板状の矩形に形成されており、係止補助部６の外周部には孔６ａが多数穿設されている。孔６ａはカメラ７もしくはカメラ付携帯電話８を係止補助部６へ固定する際に用いる係止紐９を挿通させるものである。
【００２４】
以上の構成からなるカメラスタンドはカメラ７もしくはカメラ付携帯電話８を固定する際、係止部５および各係止補助部６に多数穿設された孔５ａ，６ａに挿通させた係止紐９で固定する。固定する際における係止紐９の孔５ａ，６ａへの係止は、図示を省略したが、係止紐９を結ぶ、或いは紐を係止する用具を用いる等、様々な方法が可能である。
【００２５】
係止部５および各係止補助部６を透明体の材質で形成したことにより、デジタルカメラ７の場合はファインダーの代用となる液晶モニター７ｃがカメラ７背面に設置されているが、カメラスタンド１に固定した状態でも液晶モニター７ｃの画像を見ることが出来る（図５参照）。
【００２６】
係止紐９を用いてカメラ７もしくはカメラ付携帯電話８を固定することにより、厚さや大きさ等の様々な形状に対応することが出来る。
また、カメラ７もしくはカメラ付携帯電話８における様々なレンズ位置にも対応することが出来る。
【００２７】
さらに、係止紐９を用いてカメラ７もしくはカメラ付携帯電話８を固定することにより、係止紐９の孔５ａ，６ａへの係止位置を変更することで縦位置状態への固定、横位置状態への固定を自在に行うことが出来る（図４，図６，図１０，図１１参照）。
【００２８】
また、カメラ７のフラッシュ発光部７ｂはその取付け位置，大きさの異なる発光面およびポップアップ構造など様々であるが、係止紐９の孔５ａ，６ａへの係止位置を変更することでフラッシュ発光部７ｂからの発光を妨げることが無い。
図７〜図９にフラッシュ発光部７ｂがカメラ７正面の右側上部に設置されていた場合における係止紐９の固定方法の一例を示す。
【００２９】
本実施の形態によれば、様々な形状さらには様々なレンズ位置のコンパクトカメラおよびカメラ付携帯電話を支持固定出来るばかりでなく、ファインダーの設けられていないコンパクトデジタルカメラをも使用できる。
【実施例２】
【００３０】
図１２は本実施形態を示す組立て状態の正面図である。
本実施例のカメラスタンド１１は、前記実施例１における透明体の材質で板状の矩形に形成された係止部５と係止補助部６とに代わり、板状の矩形枠体で形成された係止部１２と板状の矩形枠体で形成された係止補助部１３とで構成した点が異なり、他の構成は同一な構成からなるものであり、同一構成部分には同一番号を付し、構成および作用の説明を省略する。
【００３１】
支持台４の一端からは板状の矩形枠体に形成された係止部１２が立設されている。係止部１２には孔１２ａが多数穿設されている。孔１２ａはカメラ７もしくはカメラ付携帯電話８を係止部１２へ固定する際に用いる係止紐９を挿通させるものである。
【００３２】
係止部１２の両側面には略同寸法の係止補助部１３が開閉自在に取付けられており、収納時の閉状態では係止部１２と各係止補助部１３とが重なり合うように取付けられている。
また、係止補助部１３は係止部１２と同様な板状の矩形枠体に形成されており、係止補助部１３には孔１３ａが多数穿設されている。孔１３ａはカメラ７もしくはカメラ付携帯電話８を係止補助部１３へ固定する際に用いる係止紐９を挿通させるものである。
【００３３】
係止部１２および各係止補助部１３を矩形枠体で形成したことにより、カメラ７をカメラスタンド１１に固定した状態でも各矩形枠体の内側空間から、カメラ背面に設置されてファインダーの代用となる液晶モニター７ｃの画像を見ることが出来る。
また、係止紐９を用いてカメラ７もしくはカメラ付携帯電話８を固定することにより、厚さや大きさ等の様々な形状に対応することが出来る。
【００３４】
本実施例によれば、係止部１２および係止補助部１３を透明体の材質に代わって矩形枠体で形成したことにより、透明体の材質表面へ生じた傷によって液晶モニター７ｃの画像が見えにくくなることは無く、長年使用することが出来る。
【図面の簡単な説明】
【００３５】
【図１】実施例１を示し、組立て状態を示す正面図である。
【図２】実施例１を示し、組立て状態を示す側面図である。
【図３】実施例１を示し、組立て状態を示す平面図である。
【図４】実施例１を示し、カメラを横位置に固定した状態を示す正面図である。
【図５】図４の背面図である。
【図６】実施例１を示し、カメラを縦位置に固定した状態を示す正面図である。
【図７】実施例１を示し、使用状態の一例を示す説明図である。
【図８】実施例１を示し、使用状態の一例を示す説明図である。
【図９】実施例１を示し、使用状態の一例を示す説明図である。
【図１０】実施例１を示し、カメラ付携帯電話を縦位置に固定した状態の正面図である。
【図１１】実施例１を示し、カメラ付携帯電話を横位置に固定した状態の正面図である。
【図１２】実施例２を示し、組立て状態を示す正面図である。
【符号の説明】
【００３６】
１，１１  カメラスタンド
２  脚部
３  自由雲台
４  支持台
５，１２  係止部
５ａ，１２ａ  孔
６，１３  係止補助部
６ａ，１３ａ  孔
７  カメラ
７ａ  レンズ
７ｂ  フラッシュ発光部
７ｃ  液晶モニター
８  カメラ付携帯電話
８ａ  液晶モニター
９  紐
【図１】
2007264217.tif 000003
【図２】
2007264217.tif 000004
【図３】
2007264217.tif 000005
【図４】
2007264217.tif 000006
【図５】
2007264217.tif 000007
【図６】
2007264217.tif 000008
【図７】
2007264217.tif 000009
【図８】
2007264217.tif 000010
【図９】
2007264217.tif 000011
【図１０】
2007264217.tif 000012
【図１１】
2007264217.tif 000013
【図１２】
2007264217.tif 000014